(57)【要約】【課題】柔軟性を有し、使用中は空気を取り込み体積が比較的大きく嵩張っているが、圧縮することで体積を小さくすることができるシュラフやダウンジャケットなど保温具の収納袋であって、保温具をより小さく圧縮した状態で収納でき、また圧縮する際の作業を簡素化した二重構造収納袋を提供する。【解決手段】収納用大袋１０と収納用小袋２０とで構成される二重構造収納袋１であり、前記収納用大袋１０は収納物用の挿入口３、内側側面部１ａおよび底面部２を有し、前記収納用小袋２０は、収納用大袋用の挿入口４および外側側面部１ｂを有し、底面部２は収納用大袋１と共通であり、前記外側側面部１ｂは前記内側側面部１ａよりも高さが低いことを特徴とする二重構造収納袋１。【選択図】　図１
2004123141.tif 000002
【特許請求の範囲】
【請求項１】
収納用大袋と収納用小袋とで構成される二重構造収納袋であり、
前記収納用大袋は収納物用の挿入口、内側側面部および底面部を有し、
前記収納用小袋は、収納用大袋用の挿入口および外側側面部を有し、底面部は収納用大袋と共通であり、前記外側側面部は前記内側側面部よりも高さが低いことを特徴とする二重構造収納袋。
【請求項２】
前記収納物用の挿入口及び／又は収納用大袋用の挿入口を巾着状の袋としたことを特徴とする請求項１に記載の二重構造収納袋。
【発明の詳細な説明】
【０００１】
【発明の属する技術分野】
本発明はシュラフ、ダウンジャケット等の保温具の収納袋に関するものである。
【０００２】
【従来の技術】
羽毛、羊毛、真綿、合成繊維綿等を詰め物としたシュラフ、ダウンジャケット、ダウンベストなどの保温具はキャンプや登山等に用いられている。
これらの保温具は、使用中は詰め物が空気を取り込むので体積が比較的大きくなっているが、持ち運びや保管の際にはより小さく圧縮したコンパクトな状態であることが求められている。しかし、柔軟性があり形状が不安定な保温具を、より小さくコンパクトな状態とするために、容積の小さい収納袋に収納するのは困難な作業である。
従来の収納袋は図３及び図４に示すように、収納される保温具が空気を取り込んだ状態と大きさが同程度の収納袋７０に保温具を収納した後、ストッパー７１の付いたベルト部７２を搾る事により、収納袋７０をより小さく圧縮した状態にする方法が一般的に知られている。
また、寝袋の圧縮方向における上下両端面部に２つの被覆部を設け、一方の被覆部に緊締帯を装着するとともに、他方の被覆部に対しバックル状の止め具を装着して、上記緊締帯の両被覆部間において寝袋の圧縮状態を維持可能にした嵩張り柔軟物の圧縮梱包具が開示されている（例えば、特許文献１参照。）。
【０００３】
【特許文献１】
実開平６−２７６５８号公報（第２頁、第１図）
【０００４】
【発明が解決しようとする課題】
しかしながら、図３及び図４に示した収納袋７０では、ベルト部７２を搾る事でベルト部７２に覆われた部分は充分に圧縮することができるが、ベルト部７２に覆われていない部分の圧縮は不充分であり、収納袋全体でみた場合の圧縮が不充分である。
また、特許文献１の考案では、円柱状に折りたたんだ寝袋を圧縮梱包具に収納し上下の両被覆部を被覆した後、４箇所ある各緊締帯を引っ張る必要があり、収納作業に手間がかかるという問題点がある。
【０００５】
そこで、本発明は前記従来技術の問題点を解決し、シュラフ、ダウンジャケット、ダウンベスト等の保温具をより小さく圧縮した状態で収納でき、また圧縮する業を簡素化した二重構造収納袋を提供するものである。
【０００６】
【課題を解決するための手段】
請求項１に記載の発明は、収納用大袋と収納用小袋とで構成される二重構造収納袋である。前記収納用大袋は収納物用の挿入口、内側側面部および底面部を有している。また、前記収納用小袋は、収納用大袋用の挿入口および外側側面部を有し、底面部は収納用大袋と共通であり、前記外側側面部は前記内側側面部よりも高さが低くなっている。
請求項２に記載の発明は、前記収納物用の挿入口及び／又は収納用大袋用の挿入口を巾着状の袋としたことを特徴とする請求項１に記載の二重構造収納袋である。
【０００７】
【発明の実施の形態】
本発明の説明で用いる保温具とは、柔軟性を有し、使用中は空気を取り込み体積が比較的大きく嵩張っているが、圧縮することで体積を小さくすることが可能なものである。例えばシュラフ、ダウンジャケット、ダウンベスト、布団等である。以下の説明の収納物とは前記の保温具のことである。
本発明に係る二重構造収納袋の実施例を図に従い説明する。
図１に示すように、本発明に係る二重構造収納袋１は略円筒状であり、収納物用の挿入口３を有する収納用大袋１０、および収納用大袋１０の外側かつ底面部２側に収納用小袋２０が設けられた二重構造になっている。収納用大袋１０は、円形の底面部２、内側側面部１ａ、収納物用の挿入口３を閉じるための紐１ｂおよび止め具１ｃで構成される（止め具１ｃはなくてもよい）。収納用大袋１０は一般的な巾着状の袋と同様の構造である。また、収納用小袋２０も収納用大袋１０と同様に底面部２、外側側面部２ａ、収納用大袋用の挿入口４を閉じるための紐２ｂおよび止め具２ｃによって巾着状に構成される（止め具２ｃはなくてもよい）。底面部２については収納用大袋１０と収納用小袋２０とで共通の一つの底面部２を有している。また外側側面部２ａは内側側面部１ａよりも高さが低くなっている。
本実施例では各部材を縫着によって一体化して、収納用大袋１０と収納用小袋２０とを構成しているが、それ以外にも接着、熱圧着、熱融着等の任意の接合方法を用いて収納用大袋１０と収納用小袋２０とを構成してよい。
内側側面部１ａ、外側側面部２ａおよび底面部２に用いる素材は、綿等の天然繊維やナイロン等の合成繊維の中から任意であってよいが、メッシュ状の素材にすれば後述する収納時の圧縮作業の際に収納物の空気の抜けを良くすることができる。
【０００８】
次に、前記二重構造収納袋への収納物の収納方法を説明する。まず図２（ａ）に示すように、折りたたんだ状態の収納物３０を収納物用の挿入口３から収納する。収納用大袋１０全体の大きさと挿入口３の大きさは、折りたたんだ状態の収納物３０よりも大きくしておけば、収納物３０をより簡単に収納用大袋１０に収納することができる。収納物３０を収納用大袋１０に収納後、図２（ｂ）に示すように巾着状である収納物用の挿入口３を紐１ｂで搾り止め具１ｃで止める。この状態で、収納用大袋１０を上から押さえつけるなどして、圧力を加え圧縮することで、収納用大袋１０内の収納物が取り込んでいる空気を押し出して、図２（ｃ）に示すように収納用大袋用の挿入口４から収納用小袋２０内に収納用大袋１０を収納する。最後に図２（ｄ）に示すように収納用大袋用の挿入口４を紐２ｂで搾り止め具２ｃで止める。
【０００９】
折りたたんだ状態の保温具等の収納物は形状が安定せず、それを圧縮し空気を抜きながら通常の小さな収納袋の中に収納するのは非常に困難な作業であるが、本発明に係る二重構造収納袋では、第一に折りたたんだ状態の保温具等の収納物をそれよりも大きな収納用大袋に収納し、第二に形状が安定した状態の収納用大袋ごと収納物を圧縮して収納用小袋に収納するので、収納作業を簡素化できる。保温具等の収納物をより簡単に収納するためには、収納用大袋の大きさおよび挿入口の大きさは折りたたんだ状態の収納物よりも大きくしておく必要がる。また収納用小袋の大きさは、収納用大袋ごと収納物を圧縮した際の大きさよりも大きくしておく必要がある。
【００１０】
本実施例では、収納用大袋および収納用小袋の形状を巾着状とし、紐で搾りと止め具で止める形態としたが、それ以外にも面ファスナーやボタンとホック等の別の方法でそれぞれの挿入口をとじることも可能である。
本発明に係る二重構造収納袋は、保温具等のように使用中は空気を多く含み膨らんだ状態であっても圧縮することで使用時よりも小さな状態に出来るものについて特に有効であるが、それに限らず通常の衣服等の収納にも用いることが出来る。
【００１１】
【発明の効果】
本発明に係る二重構造収納袋では、第一に形状が不安定な保温具等の収納物をそれよりも大きな収納用大袋に収納し、第二に形状が安定した状態の収納用大袋ごと収納物を圧縮して収納用小袋に収納することができるので、保温具等の収納物の収納作業を簡素化することができる。
【００１２】
【図面の簡単な説明】
【図１】図１は、本発明に係る二重構造収納袋の実施例を示す図である。
【図２】図２（ａ）から図２（ｄ）は、本発明に係る二重構造収納袋の実施例の使用方法を説明する図である。
【図３】図３は、従来の収納袋を示す図である。
【図４】図４は、別の従来の収納袋を示す図である。
【符号の説明】
１　　二重構造収納袋
２　　底面図
３　　収納物用の挿入口
４　　収納用大袋用の挿入口
１０　収納用大袋
１ａ　側面部
１ｂ　紐
１ｃ　止め具
２０　収納用小袋
２ａ　側面部
２ｂ　紐
２ｃ　止め具
３０　収納物
７０　収納袋
７１　ストッパー
７２　ベルト部
【図１】
2004123141.tif 000003
【図２】
2004123141.tif 000004
【図３】
2004123141.tif 000005
【図４】
2004123141.tif 000006